(57)【要約】【課題】押し当て圧力減少部材を容易に取り外すこと。【解決手段】部材間挿入部（１１ｅ）が被接触部材支持部材（Ｆ１）と接触部材支持部材（２）との間に挿入された場合に付勢部材（６）による付勢力に抗して被接触部材（Ｆｈ）に対する接触部材（Ｆｐ）の押し当て圧力を減少させると共に、操作部（１１ｂ）を付勢部材（６）による付勢方向に沿った方向に操作部（１１ｂ）を操作することで部材間挿入部（１１ｅ）を傾斜させて付勢部材（６）の付勢力に抗して被接触部材支持部材（Ｆ１）と接触部材支持部材（２）との間隔を広げ且つ付勢部材（６）の付勢力を利用して部材間挿入部（１１ｅ）の傾斜方向に移動して取り外される押し当て圧力減少部材（１１）、を備えた押し当て接触部材内蔵装置（Ｆ）。【選択図】図１１
2008083176.tif 000002
【特許請求の範囲】
【請求項１】
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部が前記接触部材の長手方向と交わる方向のうちの所定方向に操作されることで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されること、
を特徴とする押し当て接触部材内蔵装置。
【請求項２】
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が挿入された状態で前記操作部が所定の方向に操作されることで、前記押し当て圧力減少部材は前記付勢部材の付勢力を利用して取り外されること
を特徴とする押し当て接触部材内蔵装置。
【請求項３】
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部と、前記部材間挿入部と前記操作部との間であって前記操作部が操作された際に移動する側に配置された支点部と、を有する
ことを特徴とする押し当て接触部材内蔵装置。
【請求項４】
内部に加熱用ヒータが収容されて回転する加熱用回転部材により構成された前記被接触部材と、
前記加熱用回転部材に押し当てられて回転する加圧用回転部材により構成された前記接触部材と、
を備え、未定着トナー像を定着する定着装置により構成されたことを特徴とする請求項１ないし３のいずれかに記載の押し当て接触部材内蔵装置。
【請求項５】
表面にトナー像を保持して回転し、表面に保持したトナー像が転写材に転写される像保持体により構成された前記被接触部材と、
前記像保持体に接触して、前記転写材に転写後の前記像保持体表面に付着したトナーを除去する清掃部材により構成された前記接触部材と、
を備え、トナー像を形成するトナー像形成装置により構成されたことを特徴とする請求項１ないし３のいずれかに記載の押し当て接触部材内蔵装置。
【請求項６】
表面にトナー像を保持して回転し、表面に保持したトナー像が転写材に転写される像保持体により構成された前記被接触部材と、
前記像保持体に接触して、前記像保持体表面を帯電させる帯電器により構成された前記接触部材と、
を備え、トナー像を形成するトナー像形成装置により構成されたことを特徴とする請求項１ないし３のいずれかに記載の押し当て接触部材内蔵装置。
【請求項７】
前記接触部材の長手方向と交わる一方向のみに前記操作部を移動させることで取外し可能な前記押し当て圧力減少部材、
を備えたことを特徴とする請求項１ないし６のいずれかに記載の押し当て接触部材内蔵装置。
【請求項８】
前記押し当て圧力減少部材は、前記被接触部材支持部材と前記接触部材支持部材との間に挿入される部材間挿入部と、前記部材間挿入部に対して外方に配置された操作部と、前記部材間挿入部と前記操作部との間であって前記部材間挿入部が前記被接触部材支持部材と前記接触部材支持部材との間に挿入される方向とは交わる方向に延びた過挿入防止部と、
を備えたことを特徴とする請求項１ないし７のいずれかに記載の押し当て接触部材内蔵装置。
【請求項９】
前記過挿入防止部は、前記操作部が操作された際に移動する側に延在し、前記延在方向の先端部に前記支点部を有することを特徴とする請求項８記載の押し当て接触部材内蔵装置。
【請求項１０】
被係止部を有する前記押し当て圧力減少部材と、
前記被接触部材支持部材または前記接触部材支持部材に設けられ、前記被係止部に係合して前記押し当て圧力減少部材が前記付勢部材による付勢力が作用する方向に垂直な方向に抜けることを防止する抜け止め用係止部と、
を備えたことを特徴とする請求項１ないし９のいずれかに記載の押し当て接触部材内蔵装置。
【請求項１１】
回転する前記被接触部材と、
前記被接触部材の回転軸方向の両端部に配置された一対の前記押し当て圧力減少部材と、
を備えたことを特徴とする請求項１ないし１０のいずれかに記載の押し当て接触部材内蔵装置。
【請求項１２】
連結部材装着部を有する前記一対の押し当て圧力減少部材と、
前記一対の押し当て圧力減少部材の前記連結部材装着部にそれぞれ装着されて、前記一対の押し当て圧力減少部材を連結する連結部材と、
を備えたことを特徴とする請求項１１に記載の押し当て接触部材内蔵装置。
【請求項１３】
前記押し当て圧力減少部材の取外し方法の説明が記載された説明書を有する前記連結部材と、
を備えたことを特徴とする請求項１２に記載の押し当て接触部材内蔵装置。
【請求項１４】
被接触部材を支持する被接触部材支持部材と、前記被接触部材に対向して配置された接触部材を支持する接触部材支持部材との間に挿入される部材間挿入部と、
前記部材間挿入部に対して外方に配置された操作部と、
を有し、前記部材間挿入部が前記被接触部材支持部材と前記接触部材支持部材との間に挿入された場合には前記接触部材を前記被接触部材に押し当てる付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されることを特徴とする押し当て圧力減少部材。
【請求項１５】
画像形成装置本体と、
前記画像形成装置本体に設けられ、被接触部材に対向して配置された接触部材と、
前記画像形成装置本体に設けられ、前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されること、
を特徴とする画像形成装置。
【請求項１６】
前記画像形成装置本体に設けられ、前記前記押し当て圧力減少部材の前記操作部を操作する操作部材操作用開口と、
前記画像形成装置本体に設けられ、前記操作部材操作用開口を開閉する開閉扉と、
を備えたことを特徴とする請求項１５に記載の画像形成装置。
【請求項１７】
前記操作部材操作用開口が開放された状態で、前記操作部材操作用開口の外方から前記接触部材の長手方向と交わる一方向のみに前記操作部を移動させることで取外し可能な前記押し当て圧力減少部材、
を備えたことを特徴とする請求項１６に記載の画像形成装置。
【発明の詳細な説明】
【技術分野】
【０００１】
本発明は、被接触部材に接触部材が押し当てられた押し当て接触部材内蔵装置、接触部材の押し当て圧力を減少させる押し当て圧力減少部材および前記押し当て圧力減少部材を有する画像形成装置に関する。
【背景技術】
【０００２】
従来の画像形成装置では、被接触部材に対して所定の圧力で押し当てられる接触部材が配置されている。例えば、定着装置では、被接触部材としての加熱用回転部材（いわゆる、加熱ロールや加熱ベルト）に押し当てられる接触部材としての加圧用回転部材（いわゆる、加圧ロール等）や、被接触部材としての像保持体（感光体等）に押し当てられる接触部材としての清掃部材（いわゆる、クリーニングブレードやクリーニングブラシ）あるいは接触部材としての帯電器（いわゆる、帯電ロール）がある。
【０００３】
このような技術として、特許文献１（特開平７−９２８４６号公報）には、輸送、保管等で、加圧ローラ（３）が停止した状態で一部が加熱ローラ（２）に圧接された状態が長期間続くと加圧ローラ（３）外周の弾性部材に歪みが残ることを解消するために、保管、輸送時には加熱ローラ（２）の軸部と、加圧ローラ（３）の可動軸受（６）との間に、加圧ローラ（３）を押し当てる圧力を減少させる押し当て圧力減少部材としての加圧ローラ変形防止用スペーサ（１４）を挿入し、画像形成装置使用時には、加圧ローラ変形防止用スペーサ（１４）をスプリング（１２）による付勢力の付勢方向に垂直な方向に抜き取る技術が記載されている。
【０００４】
また、特許文献２（特開２００２−２２９３７３号公報）には、定着ローラ（１）と加圧ローラ（２）とが所定の圧力で接触しないようにして出荷するために、定着装置（Ｔ）内の固定部（９）と、加圧ローラ（２）を支持するフレーム（６）の間に、加圧ローラ（２）を押し当てる圧力を減少させる押し当て圧力減少部材としてのシッピングスペーサ（８）を挟む技術が記載されている。前記シッピングスペーサ（８）は、使用時にはバネ（７）の付勢方向に垂直な方向に引き抜いて取り外される。
また、特許文献２には、シッピングスペーサの取外し忘れを防止するために、加圧ローラ（２）を保持するフレーム（１６）に、加圧ローラ（２）と定着ローラ（１）とを接触、離隔させるレバー（１７）を設け、レバー（１７）にテープ（１９）付のシッピングスペーサ（１８）を組付けておき、出荷時には加圧ローラ（２）と定着ローラ（１）を離隔させ、使用時にテープ（１９）を引張ることで、シッピングスペーサ（１８）を介してレバー（１７）を回転させて、加圧ローラ（２）と定着ローラ（１）とを接触させる技術も記載されている。
【０００５】
さらに、特許文献３（特開２００６−１３９０３５号公報）には、長期間不使用状態が続く場合に、加圧ローラ（５２）が加熱ローラ（５４）に圧接しないようにするために、加圧ローラ（５２）を押し当てる圧力を減少させる押し当て圧力減少部材としてのスペーサ（７０）を設け、スペーサ（７０）を、荷重スプリング（６４）の押圧方向に垂直な開口（４１）内側に抜き出すことで、スペーサ（７０）を取り外す技術が記載されている。
【０００６】
【特許文献１】特開平７−９２８４６号公報（「０００４」、「０００８」〜「００１４」、図１）
【特許文献２】特開２００２−２２９３７３号公報（「０００３」〜「００１９」、「００３２」〜「００３７」、「００４１」〜「００４４」、図２、図５、図６、図１１）
【特許文献３】特開２００６−１３９０３５号公報（「００４８」〜「００５３」、図５〜図７）
【発明の開示】
【発明が解決しようとする課題】
【０００７】
本発明は、被接触部材に押し当てられる接触部材の押し当て圧力を減少させる押し当て圧力減少部材を容易に取り外せるようにすることを技術的課題とする。
【課題を解決するための手段】
【０００８】
前記技術的課題を解決するために、請求項１記載の押し当て接触部材内蔵装置は、
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部が前記接触部材の長手方向と交わる方向のうちの所定方向に操作されることで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されること、
を特徴とする。
【０００９】
また、前記技術的課題を解決するために、請求項２に記載の押し当て接触部材内蔵装置は、
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が挿入された状態で前記操作部が所定の方向に操作されることで、前記押し当て圧力減少部材は前記付勢部材の付勢力を利用して取り外されること
を特徴とする。
【００１０】
さらに、前記技術的課題を解決するために、請求項３に記載の押し当て接触部材内蔵装置は、
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部と、前記部材間挿入部と前記操作部との間であって前記操作部が操作された際に移動する側に配置された支点部と、を有する
ことを特徴とする。
【００１１】
請求項４記載の押し当て接触部材内蔵装置発明は、請求項１ないし３のいずれかに記載の押し当て接触部材内蔵装置において、
内部に加熱用ヒータが収容されて回転する加熱用回転部材により構成された前記被接触部材と、
前記加熱用回転部材に押し当てられて回転する加圧用回転部材により構成された前記接触部材と、
を備え、未定着トナー像を定着する定着装置により構成されたことを特徴とする。
【００１２】
請求項５記載の押し当て接触部材内蔵装置は、請求項１ないし３のいずれかに記載の押し当て接触部材内蔵装置において、
表面にトナー像を保持して回転し、表面に保持したトナー像が転写材に転写される像保持体により構成された前記被接触部材と、
前記像保持体に接触して、前記転写材に転写後の前記像保持体表面に付着したトナーを除去する清掃部材により構成された前記接触部材と、
を備え、トナー像を形成するトナー像形成装置により構成されたことを特徴とする。
【００１３】
請求項６記載の押し当て接触部材内蔵装置は、請求項１ないし３のいずれかに記載の押し当て接触部材内蔵装置において、
表面にトナー像を保持して回転し、表面に保持したトナー像が転写材に転写される像保持体により構成された前記被接触部材と、
前記像保持体に接触して、前記像保持体表面を帯電させる帯電器により構成された前記接触部材と、
を備え、トナー像を形成するトナー像形成装置により構成されたことを特徴とする。
【００１４】
請求項７記載の押し当て接触部材内蔵装置は、請求項１ないし６のいずれかに記載の押し当て接触部材内蔵装置において、
前記接触部材の長手方向と交わる一方向のみに前記操作部を移動させることで取外し可能な前記押し当て圧力減少部材、
を備えたことを特徴とする。
【００１５】
請求項８記載の押し当て接触部材内蔵装置は、請求項１ないし７のいずれかに記載の押し当て接触部材内蔵装置において、
前記押し当て圧力減少部材は、前記被接触部材支持部材と前記接触部材支持部材との間に挿入される部材間挿入部と、前記部材間挿入部に対して外方に配置された操作部と、前記部材間挿入部と前記操作部との間であって前記部材間挿入部が前記被接触部材支持部材と前記接触部材支持部材との間に挿入される方向とは交わる方向に延びた過挿入防止部と、を備えたことを特徴とする。
【００１６】
請求項９記載の押し当て接触部材内蔵装置は、請求項８記載の押し当て接触部材内蔵装置において、
前記過挿入防止部は、前記操作部が操作された際に移動する側に延在し、前記延在方向の先端部に前記支点部を有することを特徴とする。
【００１７】
請求項１０記載の押し当て接触部材内蔵装置は、請求項１ないし９のいずれかに記載の押し当て接触部材内蔵装置において、
被係止部を有する前記押し当て圧力減少部材と、
前記被接触部材支持部材または前記接触部材支持部材に設けられ、前記被係止部に係合して前記押し当て圧力減少部材が前記付勢部材による付勢力が作用する方向に垂直な方向に抜けることを防止する抜け止め用係止部と、
を備えたことを特徴とする。
【００１８】
請求項１１記載の押し当て接触部材内蔵装置は、請求項１ないし１０のいずれかに記載の押し当て接触部材内蔵装置において、
回転する前記被接触部材と、
前記被接触部材の回転軸方向の両端部に配置された一対の前記押し当て圧力減少部材と、
を備えたことを特徴とする。
【００１９】
請求項１２記載の押し当て接触部材内蔵装置は、請求項１１に記載の押し当て接触部材内蔵装置において、
連結部材装着部を有する前記一対の押し当て圧力減少部材と、
前記一対の押し当て圧力減少部材の前記連結部材装着部にそれぞれ装着されて、前記一対の押し当て圧力減少部材を連結する連結部材と、
を備えたことを特徴とする。
【００２０】
請求項１３記載の押し当て接触部材内蔵装置は、請求項１２に記載の押し当て接触部材内蔵装置において、
前記押し当て圧力減少部材の取外し方法の説明が記載された説明書を有する前記連結部材と、
を備えたことを特徴とする。
【００２１】
前記技術的課題を解決するために、請求項１４記載の押し当て圧力減少部材は、
被接触部材を支持する被接触部材支持部材と、前記被接触部材に対向して配置された接触部材を支持する接触部材支持部材との間に挿入される部材間挿入部と、
前記部材間挿入部に対して外方に配置された操作部と、
を有し、前記部材間挿入部が前記被接触部材支持部材と前記接触部材支持部材との間に挿入された場合には前記接触部材を前記被接触部材に押し当てる付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されることを特徴とする。
【００２２】
前記技術的課題を解決するために、請求項１５記載の画像形成装置は、
画像形成装置本体と、
前記画像形成装置本体に設けられ、被接触部材に対向して配置された接触部材と、
前記画像形成装置本体に設けられ、前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されること、
を特徴とする。
【００２３】
請求項１６記載の画像形成装置は、請求項１５に記載の画像形成装置において、
前記画像形成装置本体に設けられ、前記前記押し当て圧力減少部材の前記操作部を操作する操作部材操作用開口と、
前記画像形成装置本体に設けられ、前記操作部材操作用開口を開閉する開閉扉と、
を備えたことを特徴とする。
【００２４】
請求項１７記載の画像形成装置は、請求項１６に記載の画像形成装置において、
前記操作部材操作用開口が開放された状態で、前記操作部材操作用開口の外方から前記接触部材の長手方向と交わる一方向のみに前記操作部を移動させることで取外し可能な前記押し当て圧力減少部材、
を備えたことを特徴とする。
【発明の効果】
【００２５】
前述の本発明は、下記の効果（Ｅ01）〜（Ｅ017）を奏する。
（Ｅ01）請求項１記載の発明によれば、本発明を適用しない場合と比較して、付勢力を利用して押し当て圧力減少部材を容易に取り外すことができる。
（Ｅ02）請求項２記載の発明によれば、本発明を適用しない場合と比較して、付勢力を利用して押し当て圧力減少部材を容易に取り外すことができる。
（Ｅ03）請求項３記載の発明によれば、本発明を適用しない場合と比較して、付勢力を利用して押し当て圧力減少部材を容易に取り外すことができる。
【００２６】
（Ｅ04）請求項４記載の発明によれば、定着装置の加熱用回転部材と加圧用回転部材との圧力を減少させる押し当て圧力減少部材を、本発明を適用しない場合と比較して容易に取り外すことができる。
（Ｅ05）請求項５記載の発明によれば、トナー像形成装置の像保持体に接触する清掃部材の接触圧力を減少させる押し当て圧力減少部材を、本発明を適用しない場合と比較して容易に取り外すことができる。
（Ｅ06）請求項６記載の発明によれば、トナー像形成装置の像保持体に接触する帯電器の接触圧力を減少させる押し当て圧力減少部材を、本発明を適用しない場合と比較して容易に取り外すことができる。
【００２７】
（Ｅ07）請求項７記載の発明によれば、一方向のみに操作部を移動させるだけで押し当て圧力減少部材を取り外すことができる。
（Ｅ08）請求項８記載の発明によれば、本発明を適用しない場合と比較して、押し当て圧力減少部材の装着が容易となる。
（Ｅ09）請求項９記載の発明によれば、本発明を適用しない場合と比較して、操作部の操作の初動を軽くすることができる。
【００２８】
（Ｅ010）請求項１０記載の発明によれば、輸送中の衝撃等で外力が作用した場合に、押
し当て圧力減少部材が誤って外れてしまうことを防止できる。
（Ｅ011）請求項１１記載の発明によれば、回転軸方向の両端部で押し当て圧力を減少さ
せることができる。
（Ｅ012）請求項１２記載の発明によれば、取り外された押し当て圧力減少部材が落下等
して紛失等することを防止できる。
（Ｅ013）請求項１３記載の発明によれば、利用者が説明書の取り外し方法を参照しなが
ら押し当て圧力減少部材を取り外すことができる。また、目立ちやすい説明書により押し当て力減少部材の取り外し忘れを防止することもできる。
【００２９】
（Ｅ014）請求項１４記載の発明によれば、本発明を適用しない場合と比較して、付勢力
を利用して容易に取り外し可能な押し当て圧力減少部材を提供できる。
（Ｅ015）請求項１５記載の発明によれば、本発明を適用しない場合と比較して、押し当
て圧力減少部材が容易に取り外せて、画像形成装置を使用可能にする作業を容易に行うことができる。
（Ｅ016）請求項１６記載の発明によれば、開口を通じて押し当て圧力減少部材を取り出
し、回収することができる。また、画像形成装置内部に押し当て接触部材内蔵装置に収容されているので、押し当て接触部材内蔵装置を別梱包にする必要がなくなり、保管スペースを減少でき、輸送も容易にできる。
（Ｅ017）請求項１７記載の発明によれば、外方から一方向に押すだけなので、画像形成
装置を小型化できる。
【発明を実施するための最良の形態】
【００３０】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００３１】
図１は本発明の実施例１の画像形成装置の斜視図である。
図２は実施例１の画像形成装置の全体説明図である。
図１、図２において、実施例１の画像形成装置Ｕは、画像形成装置本体Ｕ１と、画像が記録される記録媒体が収容される第１給紙容器ＴＲ１と第２給紙容器ＴＲ２と、を有する。
図１、図２において、画像形成装置本体Ｕ１はマイクロコンピュータにより構成された主制御手段Ｃと、主制御手段Ｃにより作動を制御される作像手段ＣＩ、レーザ駆動回路ＤＬ、および電源装置Ｅ等を有している。電源装置Ｅは、後述の帯電器ＣＲ、現像器Ｇａおよび転写器Ｔｒ等にバイアス電圧を印加する。
前記作像手段ＣＩは、外部の印刷画像情報送信装置の一例としてのホストコンピュータ等から入力された印字データを潜像形成用の画像データに変換して所定のタイミングでレーザ駆動回路ＤＬに出力する。レーザ駆動回路ＤＬは、入力された画像データに応じてレーザ駆動信号を潜像形成装置ＵＲに出力する。
【００３２】
前記潜像形成装置ＵＲの左方（＋Ｘ方向）には、トナー像形成装置の一例としてのプロセスカートリッジＵ２が装着されている。前記プロセスカートリッジＵ２は、像保持体ユニット部Ｕ２ａおよび現像器の一例としての現像ユニット部Ｕ２ｂを有しており、前記画
像形成装置本体Ｕ１から像保持体ＰＲの回転軸方向（Ｙ軸方向）に着脱可能に構成されている。前記プロセスカートリッジＵ２の像保持体ユニット部Ｕ２ａは、像保持体ＰＲ、帯電器の一例としての帯電ロールＣＲおよびそれらを回転可能に支持する現像剤回収容器ＣＬを有している。現像ユニット部Ｕ２ｂは、現像容器Ｖを有しており、現像容器Ｖ内部には現像ロールＧａおよび現像剤攪拌部材Ｇｂが回転可能に支持されている。前記現像容器Ｖには現像剤補給容器の一例としての現像剤カートリッジＫが着脱可能に装着されている。前記現像剤カートリッジＫ内部には現像剤を攪拌しながら前記現像剤撹拌部材Ｇｂに搬送する攪拌搬送部材Ｇｃが回転可能に支持されている。
【００３３】
回転する像保持体ＰＲの表面は、帯電領域Ｑ１において前記帯電ロールＣＲにより帯電され、潜像書込位置Ｑ２において前記潜像書込装置ＵＲから出射するレーザビームＬにより静電潜像が書き込まれる。前記静電潜像は現像領域Ｑ３において現像ユニット部Ｕ２ｂの現像ロールＧａによりトナー像に現像され、像保持体ＰＲ及び転写器の一例としての転写ロールＴｒとの圧接領域により形成される転写領域Ｑ４において転写ロールＴｒにより記録シートＳに転写される。像担持体ＰＲ表面の残留現像剤は、転写領域Ｑ４の下流側の清掃領域としてのクリーニング領域Ｑ５において清掃部材の一例としてのクリーニングブレードＣＢにより除去され（擦り取られ）、現像剤回収容器ＣＬに回収される。
なお、前記クリーニングブレードＣＢの対向する側にはフィルムシールＦＳが設けられており、フィルムシールＦＳは前記トナー回収容器ＣＬ内に回収されたトナーが外にこぼれ出るのを防止する。
【００３４】
前記画像形成装置本体Ｕ１の下部に着脱可能に装着された前記給紙容器ＴＲ１，ＴＲ２から、取出部材Ｒｐにより取り出された記録媒体の一例としての記録シートＳは、給紙部材の一例としての給紙ロールＲｓ１および分離部材の一例としてのリタードロールＲｓ２を有するさばきロールＲｓにより１枚づつ分離されて、シート搬送路ＳＨに沿って配置された搬送部材の一例としてのシート搬送ロールＲａにより搬送され、転写領域Ｑ４のシート搬送方向の上流側に配置されたレジストレーションロールＲｒにより所定のタイミングで、前記転写領域Ｑ４に搬送される。なお前記シート搬送路ＳＨの一部分は前記第１給紙トレイＴＲ１に形成されている。
前記ピックアップロールＲｐおよびさばきロールＲｓにより、給紙装置ＫＳが構成されている。
【００３５】
前記主制御手段Ｃにより動作が制御される電源装置Ｅから所定のタイミングで転写バイアスが印加される転写器の一例としての転写ロールＴｒは、前記転写領域Ｑ４を通過する記録シートＳに像保持体ＰＲ上のトナー像を転写する。
前記転写領域Ｑ４においてトナー像が転写された記録シートＳは、トナー像が未定着の状態で定着装置Ｆに搬送される。前記定着装置Ｆは、定着部材の一例としての一対の定着ロールＦｈ，Ｆｐを有し、前記一対の定着ロールＦｈ，Ｆｐの圧接領域によって定着領域Ｑ６が形成される。なお、本発明の押し当て接触部材内蔵装置の一例としての定着装置Ｆについては、後で詳述する。
前記定着領域Ｑ６に搬送された記録シートＳは、定着領域Ｑ６において定着装置Ｆの一対の定着ロールＦｈ，Ｆｐによりトナー像が定着される。定着トナー像が形成された記録シートＳは、案内部材ＳＧ１，ＳＧ２によってガイドされ、排出部材の一例としての排出ロールＲ１から画像形成装置本体Ｕ１上面に形成された排出部ＴＲｈに排出される。
【００３６】
（定着装置の説明）
図３は図１において定着装置操作用の開閉扉を開放した状態の説明図である。
図４は押し当て圧力減少部材が装着された状態の実施例１の定着装置の斜視説明図である。
図１〜図３において、実施例１の画像形成装置Ｕでは、画像形成装置本体Ｕ１の左側面
上部には、定着装置Ｆで紙詰まり等が発生した場合に定着装置Ｆを操作するための開閉扉Ｕ１ａが、図１に示す閉鎖位置と図３に示す開放位置との間で開閉可能に支持されている。前記開閉扉Ｕ１ａを開放した状態で開放される操作部材操作用開口の一例としての開口Ｕ１ｂには、着脱可能なユニット化された前記定着装置Ｆが装着されている。
図４において、実施例１の定着装置Ｆは、開口Ｕ１ｂを通じて着脱可能に構成されており、上部には前記案内部材ＳＧ２を有している。
【００３７】
図５は図４のＶ−Ｖ線断面図であり、図５Ａは圧力解除部材が圧力作用位置に移動した状態の説明図、図５Ｂは圧力解除部材が圧力解除位置に移動した状態の説明図である。
図２，図５において、実施例１の定着装置Ｆの内部には、加熱回転部材の一例としての加熱ロールＦｈと、前記加熱ロールＦｈに対向し且つ所定の圧力で押し当てられる加圧回転部材としての加圧ロールＦｐとからなる前記定着ロールＦｈ，Ｆｐが収容されている。図５において、被接触部材の一例としての加熱ロールＦｈは、内部に図示しない加熱用ヒータが収容されており、その軸方向（長手方向）両端部が被接触部材支持部材の一例としての固定枠体Ｆ１に回転可能に支持されている。前記固定枠体Ｆ１の軸方向両端部の上端部右方には付勢部材一端支持部の一例としての付勢部材一端支持孔１（図５参照）が形成されている。前記固定枠体Ｆ１の上部左端には、回転部材対向部Ｆ１ａが形成されており、回転部材対向部Ｆ１ａの上面には支点部係合面Ｆ１ｂが形成されている。
【００３８】
図５において、また、接触部材の一例としての前記加圧ロールＦｐは、その軸Ｆｐａが軸方向（長手方向）両端部で、接触部材支持部材の一例としての一対の回転支持部材２に支持されている。前記回転支持部材２は、一端部（下端部）が前記固定枠体Ｆ１に支持された回転軸３に回転可能に支持されており、固定枠体Ｆ１の回転部材対向部Ｆ１ａに接近、離隔可能に回転できる。前記回転支持部材２の加圧ロールＦｐの上方（他端側）には、固定枠体Ｆ１に対向する枠体対向部２ａが形成されており、枠体対向部２ａと固定枠体Ｆ１の回転部材対向部Ｆ１ａとの間には、減少部材挿入用空間ＳＰが形成されている。前記減少部材挿入用空間ＳＰの上方の枠体対向部２ａには、減少部材挿入用空間ＳＰ側に入り込む形状の抜け止め用係止部２ｂが形成されている。
【００３９】
図６は実施例１の画像形成装置に装着された定着装置の前側部分の要部拡大図である。
図７は実施例１の画像形成装置に装着された定着装置の後側部分の要部拡大図である。
図５において、前記回転部材２の他端部（上端部）には圧力解除部材４が回転中心４ａを中心として回転可能に支持されている。図４〜図７において、前記圧力解除部材４は、回転中心４ａから離れた位置に圧力解除用操作部４ｂが設けられており、回転中心４ａから偏心した位置に付勢部材他端支持部４ｃが形成されている。
前記付勢部材一端支持孔１と付勢部材他端支持部４ｃとの間には、付勢部材の一例としての引張りバネ６が装着されている。
【００４０】
したがって、前記圧力解除部材４が、図５Ａに示す圧力作用位置に移動した状態では、引張りバネ６による付勢力により、回転支持部材２が回転軸３を中心として加熱ロールＦｈ側に付勢される。この結果、加圧ロールＦｐが加熱ロールＦｈに所定の圧力で押し当てられ、定着領域Ｑ６を通過する記録シートＳ表面の未定着トナー像が加圧されながら加熱されて定着される。
定着領域Ｑ６等で紙詰まりが発生した場合、利用者が開閉扉Ｕ１ａを開け、圧力解除用操作部４ｂを操作して、圧力解除部材４を回転させて、図５Ｂに示す圧力解除位置に移動させると、付勢部材一端支持孔１と付勢部材他端支持部４ｃとの距離が、図５Ａに示す圧力作用位置の場合の距離に比べて短くなる。したがって、引張りバネ６による付勢力が弱くなり、加圧ロールＦｐが加熱ロールＦｈに押し当てられる圧力が弱くなる。したがって、定着領域Ｑ６に挟まれた記録シートＳを容易に除去することができる。
【００４１】
なお、実施例１では、前記圧力作用位置において、付勢部材他端支持部４ｃは、回転中心４ａと付勢部材一端支持孔１とを結ぶ仮想線（図示せず）よりも下方に位置しているので、圧力作用位置から圧力解除位置側への移動開始時には、付勢部材他端支持部４ｃが前記仮想線上に来るまでは引張りバネ６が延び、付勢力が高まる。即ち、実施例１では、圧力作用位置から圧力解除位置側への移動には、移動開始時に付勢力に抗して圧力解除部材４を回転させる所定の力が必要となるため、圧力作用位置から圧力解除位置側へ自然に移動してしまうことが防止される。同様に、圧力解除位置から圧力作用位置に自然に移動してしまうことも防止される。
【００４２】
（押し当て圧力減少部材の説明）
図８は右側の押し当て圧力減少部材の説明図であり、図８Ａは斜視図、図８Ｂは図８Ａの矢印ＶＩＩＩＢ方向から見た図、図８Ｃは図８Ａの矢印ＶＩＩＩＣ方向から見た図、図８Ｄは図８Ｃの矢印ＶＩＩＩＤ方向から見た図、図８Ｅは図８Ｃの矢印ＶＩＩＩＥ方向から見た図、図８Ｆは図８Ｃの矢印ＶＩＩＩＦ方向から見た図、図８Ｇは図８Ｃの矢印ＶＩＩＩＧ方向から見た図である。
図４、図６，図７において、画像形成装置Ｕを保管、輸送する際には、定着装置Ｆには、左右一対の押し当て圧力減少部材１１，１２が装着される。図４、図６、図８において、右側の押し当て圧力減少部材１１は、鉛直方向に延びる部材本体１１ａを有する。部材本体１１ａの上端部には、前方（＋Ｘ方向）に延びる側面視Ｌ字形の操作部１１ｂが形成されている。実施例１の操作部１１ｂの大きさは、保管時や輸送時等でも押し当て力減少部材１１を定着装置Ｆに取り付けた状態で画像形成装置本体Ｕ１内部に収容でき、定着装置Ｆを別梱包にすることなく保管等できるように、圧力減少部材１１が定着装置Ｆに装着された状態で、定着装置Ｆの上部にある案内部材ＳＧ２よりも突出しない長さ、定着装置Ｆの長手方向の幅から突出しない幅に設定されている。
【００４３】
前記操作部１１ｂの前端面には、操作案内表示部１１ｃ（図８Ｅの「ＰＵＳＨ」参照）が一体的に形成されており、操作案内表示部１１ｃの右側には、連結部材装着部の一例としての連結部材装着孔１１ｄが形成されている。前記部材本体１１ａの下端部には、部材間挿入部１１ｅが形成されている。前記部材間挿入部１１ｅの上部には、後方向（−Ｘ方向）に延びる過挿入防止部１１ｆが形成されており、前記固定枠体Ｆ１の支点部係合面Ｆ１ｂに係止されることで押し当て圧力減少部材１１の挿入しすぎによる外し難さや挿入させなさすぎによる外れ易さを防止する。前記過挿入防止部１１ｆの先端部には支点部１１ｇが設けられている。さらに、前記部材間挿入部１１ｅの前側には、前記抜け止め用係止部２ｂに係合可能な被係止部１１ｈが形成されている。
【００４４】
図９は左側の押し当て圧力減少部材の説明図であり、図９Ａは斜視図、図９Ｂは図９Ａの矢印ＩＸＢ方向から見た図、図９Ｃは図９Ａの矢印ＩＸＣ方向から見た図、図９Ｄは図９Ｃの矢印ＩＸＤ方向から見た図、図９Ｅは図９Ｃの矢印ＩＸＥ方向から見た図、図９Ｆは図９Ｃの矢印ＩＸＦ方向から見た図、図９Ｇは図９Ｃの矢印ＩＸＧ方向から見た図である。
図４，図７、図９において、左側の押し当て圧力減少部材１２は、右側の押し当て圧力減少部材１１とほぼ左右対称に形成されており、右側の押し当て圧力減少部材１１と同様に、部材本体１２ａ、操作部１２ｂ、操作案内表示部１２ｃ、連結部材装着孔１２ｄ、部材間挿入部１２ｅ、過挿入防止部１２ｆ、支点部１２ｇおよび被係止部１２ｈを有する。
【００４５】
図１０は使用前の画像形成装置の斜視説明図である。
図４において、前記左右一対の押し当て圧力減少部材１１，１２の連結部材装着孔１１ｄ，１２ｄには、押し当て圧力減少部材１１，１２を連結する連結部材１３が連結されている。前記連結部材１３は、前記連結部材装着孔１１ｄ，１２ｄを介して押し当て圧力減少部材１１，１２に一端部が結び付けられる紐部１３ａ，１３ｂと、紐部１３ａ，１３ｂ
の他端部が結び付けられた説明書１３ｃとを有する。前記説明書１３ｃには、押し当て圧力減少部材１１，１２の取外し方法の説明が記載されている。
図１０において、実施例１の画像形成装置Ｕでは、工場出荷時等の画像形成装置Ｕが使用される前の状態では、連結部材１３の紐部１３ａ，１３ｂが開閉扉Ｕ１ａの隙間から外側に導き出され、説明書１３ｃを利用者が認識しやすいように、説明書１３ｃが画像形成装置本体Ｕ１の上面に設置されている。
【００４６】
（実施例１の作用）
図１１は実施例１の作用説明図であって、図１１Ａは押し当て圧力減少部材が装着された状態の説明図、図１１Ｂは押し当て圧力減少部材の操作部が押されて傾斜した状態の説明図、図１１Ｃは図１１Ｂの状態から押し当て圧力減少部材の操作部がさらに押された状態の説明図である。
図１２は実施例１の続きの作用説明図であって、図１２Ａは図１１Ｃの状態から付勢部材の付勢力により押し当て圧力減少部材が押し出された状態の説明図、図１２Ｂは押し当て圧力減少部材が取り外された状態の説明図である。
【００４７】
前記構成を備えた実施例１の画像形成装置Ｕでは、画像形成装置Ｕが倉庫で保管されたり、輸送される際には、加熱ロールＦｈに加圧ロールＦｐを押し当てる圧力を減少させ、定着ロールＦｈ，Ｆｐの接触領域の変形を防止するために、図１１Ａに示すように、押し当て力減少部材１１，１２が装着される。図１１Ａにおいて、押し当て圧力減少部材１１，１２は、圧力解除部材４を圧力作用位置に保持した状態で、引張りバネ６の付勢力に抗して部材間挿入部１１ｅ，１２ｅが減少部材挿入用空間ＳＰに挿入されて装着される。この結果、枠体対向部２ａと回転部材対向部Ｆ１ａとの間隔が広げられ、加圧ロールＦｐの加熱ロールＦｈに対する押し当て圧力が減少される。前記押し当て圧力減少部材１１，１２が装着される際には、過挿入防止部１１ｆ，１２ｆが支点部係合面Ｆ１ｂに係合して過挿入が防止されると共に、被係止部１１ｈが抜け止め用係止部２ｂに係合して輸送中等で外力が作用した時に押し当て圧力減少部材１１，１２が引張りバネ６の付勢力に垂直な方向に抜けてしまうことが防止される。
【００４８】
図１１Ａ、図１１Ｂにおいて、画像形成装置Ｕが設置され、使用可能とする場合、図１１Ａに示す状態から図１１Ｂに示すように、押し当て圧力減少部材１１，１２の操作部１１ｂ，１２ｂが引張りバネ６の付勢方向に沿って一方向に押される。前記操作部１１ｂ，１２ｂが押されると、テコの原理により、支点部係合面Ｆ１ｂに接触する支点部１１ｇ，１２ｇを支点として回転し、部材間挿入部１１ｅ，１２ｅの先端部が枠体対向部２ａに接触して、減少部材挿入用空間ＳＰを広げる方向に枠体対向部２ａを押す。この結果、引張りバネ６が延び、付勢力が一時的に高まる。なお、このとき、操作部１１ｂ，１２ｂと支点部１１ｇ，１２ｇとが、部材本体１１ａ，１２ａに対して前後逆方向に配置されており、操作部１１ｂ，１２ｂ、すなわち、テコの力点が、支点部１１ｇ，１２ｇから離れた位置に配置されているので、回転させる際の初期の力が比較的少なくて済む。
【００４９】
図１１Ｂ、図１１Ｃにおいて、図１１Ｂの状態からさらに操作部１１ｂ，１２ｂが押されると、図１１Ｃに示すように、押し当て圧力減少部材１１，１２が支点部１１ｇ，１２ｇを支点として回転するが、引張りバネ６の付勢力に押されて、支点部１１ｇ，１２ｇが支点部係合面Ｆ１ｂを滑るように後方（−Ｘ方向）に移動する。
図１１Ｃ、図１２Ａ、図１２Ｂにおいて、押し当て圧力減少部材１１，１２がある程度傾斜すると、操作部１１ｂ，１２ｂを利用者が押さなくても、引張りバネ６の付勢力により、図１２Ａに示すように、部材間挿入部１１ｅ，１２ｅが減少部材挿入用空間ＳＰから自然に押し出される。そして、押し当て圧力減少部材１１，１２が押し出されて、取り外されると、図１２Ｂに示すように、引張りバネ６の付勢力により、加圧ロールＦｐが加熱ロールＦｈに所定の押し当て圧力で押し当てられる。したがって、内部に操作部を操作す
るための特別な空間を設けなくても、すなわち、画像形成装置を大型化しなくても、開口Ｕ１ｂから画像形成装置本体Ｕ１内部に向かって、押し当て圧力減少部材１１，１２が一方向に押されることで取り外される。
取り外された押し当て圧力減少部材１１，１２は、連結部材１３により連結されているため、画像形成装置Ｕ内部に落下することなく、開口Ｕ１ｂから取り出され、廃棄または回収される。
【実施例２】
【００５０】
図１３は本発明の実施例２の説明図であり、実施例１の図１１Ｂに対応する図である。
次に本発明の実施例２の画像形成装置Ｕの説明を行うが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
図１３において、実施例２の押し当て圧力減少部材１１′，１２′では、操作部１１ｂ′，１２ｂ′には、上端部から前方に延びる突出操作部１１ｂ１′，１２ｂ１′が形成されている。
【００５１】
（実施例２の作用）
前記構成を備えた実施例２の画像形成装置Ｕでは、押し当て圧力減少部材１１′，１２′は、突出操作部１１ｂ１′，１２ｂ１′を下方から上方に押すことにより、実施例１の場合と同様に、支点部１１ｇ，１２ｇを中心として回転し、取り外される。したがって、実施例２の押し当て圧力減少部材１１′，１２′も、実施例１の押し当て圧力減少部材１１，１２と同様の作用効果を有する。
【実施例３】
【００５２】
図１４は本発明の実施例３の説明図であり、実施例１の図１１Ａに対応する図である。
次に本発明の実施例３の画像形成装置Ｕの説明を行うが、この実施例３の説明において、前記実施例１，２の構成要素に対応する構成要素には同一の符号を付して、その詳細な説明を省略する。この実施例３は、下記の点で前記実施例１，２と相違しているが、他の点では前記実施例１，２と同様に構成されている。
図１４において、実施例３の押し当て圧力減少部材１１′，１２′は、実施例２と同様に構成されている。
【００５３】
（実施例３の作用）
前記構成を備えた実施例３の画像形成装置Ｕでは、押し当て圧力減少部材１１′，１２′は、突出操作部１１ｂ１′，１２ｂ１′を上方から下方に押すことにより、抜け止め用係止部２ｂに係合する被係止部１１ｈを支点として回転する。これに伴い、部材間挿入部１１ｅ，１２ｅが減少部材挿入用空間ＳＰを一時的に押し広げ、付勢力が高まる。さらに、押し当て圧力減少部材１１′，１２′が回転すると、高まった付勢力や係合部分の摩擦等の関係により、抜け止め用係止部２ｂと被係止部１１ｂの係合が解除されて、付勢力により押し当て圧力減少部材１１′，１２′が自然に取り外される。したがって、実施例３の押し当て圧力減少部材１１′，１２′も、実施例１の押し当て圧力減少部材１１，１２と同様の作用効果を有する。
【００５４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ010）を下記に例示する。
（Ｈ01）前記各実施例において、画像形成装置の一例としてのプリンタを例示したが、これに限定されず、複写機、ＦＡＸ、あるいはこれら複数の機能を備えた複合機等に適用可
能である。また、電子写真方式の画像形成装置に限定されず、インクジェット記録方式やサーマルヘッド方式等、任意の画像形成方式の画像形成装置に適用可能である。また、モノクロの画像形成装置に限定されず、カラーの画像形成装置にも適用可能である。
【００５５】
（Ｈ02）前記実施例において、押し当て圧力減少部材１１，１２の形状は、実施例に例示した形状に限定されず、任意の形状とすることが可能である。例えば、過挿入防止部や支点部、被係止部等を省略し、操作部や支点部を部材本体や部材間挿入部に設けて、押し当て圧力減少部材を平板形状にすることも可能である。
（Ｈ03）前記実施例において、被接触部材の一例として加熱ロールＦｈ、接触部材の一例として加圧ロールＦｐ、押し当て接触部材内蔵装置の一例として定着装置Ｆを例示したが、これに限定されず、非接触部材に押し当てられる接触部材を有する任意の構成に適用可能である。例えば、被接触部材として像保持体ＰＲ、被接触部材としてクリーニングブレードＣＢ、押し当て接触部材内蔵装置としてトナー像形成装置（プロセスカートリッジＵ２）の組み合わせ、被接触部材として像保持体ＰＲ、被接触部材として帯電ロールＣＲ、、押し当て接触部材内蔵装置としてトナー像形成装置（プロセスカートリッジＵ２）の組み合わせ、被接触部材として像保持体ＰＲ、被接触部材として転写ロールＴｒ、押し当て接触部材内蔵装置として転写機構の組み合わせ等に適用可能である。その他、転写ロールＴｒにクリーニングブレードが接触している構成や、清掃部材の一例としてのクリーニングブラシが接触している構成、中間転写体と像保持体、中間転写体と清掃部材、中間転写体と転写器、シート搬送ベルトと像保持体等にも適用可能である。また、画像形成装置以外の装置において、被接触部材に接触部材が押し当てられる構成にも採用可能である。
【００５６】
（Ｈ04）前記実施例において、加熱用回転部材および加圧用回転部材として、加熱ロールや加圧ロールを例示したが、これに限定されず、加熱ベルトや加圧ベルトの定着装置にも適用可能である。
（Ｈ05）前記実施例において、連結部材１３は設けることが望ましいが、省略することも可能である。また、連結部材１３は、２つの押し当て圧力減少部材１１，１２に連結したが、これに限定されず、１つの押し当て圧力減少部材にそれぞれ、紐部や説明書を有する連結部材を連結することも可能である。
（Ｈ06）前記実施例において、押し当て圧力減少部材１１，１２は、左右一対設けたが、押し当て圧力減少部材が装着される部材の構成によっては、一カ所のみとしたり、３カ所以上装着することも可能である。
【００５７】
（Ｈ07）前記実施例において、付勢部材の一例として引張りバネ６を例示したが、これに限定されず、例えば、特許文献３のような定着装置Ｆの構成では、圧縮バネを採用することも可能である。
（Ｈ08）前記実施例において、抜け止め用係止部２ｂは回転部材２に設けたが、固定枠体Ｆ１に設けることも可能である。
（Ｈ09）前記実施例において、押し当て圧力減少部材１１，１２により、加熱ロールＦｈと加圧ロールＦｐとの接触圧力を減少させるように構成したが、加熱ロールＦｈと加圧ロールＦｐとを離隔させる、すなわち、加熱ロールＦｈと加圧ロールＦｐとの接触圧力を０とすることも可能である。
（Ｈ010）前記実施例において、押し当て接触部材内蔵装置の一例としての定着装置は、
画像形成装置本体Ｕ１内部に収容した状態で小型、省スペースで保管、輸送されたが、別梱包とすることも可能である。
【図面の簡単な説明】
【００５８】
【図１】図１は本発明の実施例１の画像形成装置の斜視図である。
【図２】図２は実施例１の画像形成装置の全体説明図である。
【図３】図３は図１において定着装置操作用の開閉扉を開放した状態の説明図である。
【図４】図４は押し当て圧力減少部材が装着された状態の実施例１の定着装置の斜視説明図である。
【図５】図５は図４のＶ−Ｖ線断面図であり、図５Ａは圧力解除部材が圧力作用位置に移動した状態の説明図、図５Ｂは圧力解除部材が圧力解除位置に移動した状態の説明図である。
【図６】図６は実施例１の画像形成装置に装着された定着装置の前側部分の要部拡大図である。
【図７】図７は実施例１の画像形成装置に装着された定着装置の後側部分の要部拡大図である。
【図８】図８は右側の押し当て圧力減少部材の説明図であり、図８Ａは斜視図、図８Ｂは図８Ａの矢印ＶＩＩＩＢ方向から見た図、図８Ｃは図８Ａの矢印ＶＩＩＩＣ方向から見た図、図８Ｄは図８Ｃの矢印ＶＩＩＩＤ方向から見た図、図８Ｅは図８Ｃの矢印ＶＩＩＩＥ方向から見た図、図８Ｆは図８Ｃの矢印ＶＩＩＩＦ方向から見た図、図８Ｇは図８Ｃの矢印ＶＩＩＩＧ方向から見た図である。
【図９】図９は左側の押し当て圧力減少部材の説明図であり、図９Ａは斜視図、図９Ｂは図９Ａの矢印ＩＸＢ方向から見た図、図９Ｃは図９Ａの矢印ＩＸＣ方向から見た図、図９Ｄは図９Ｃの矢印ＩＸＤ方向から見た図、図９Ｅは図９Ｃの矢印ＩＸＥ方向から見た図、図９Ｆは図９Ｃの矢印ＩＸＦ方向から見た図、図９Ｇは図９Ｃの矢印ＩＸＧ方向から見た図である。
【図１０】図１０は使用前の画像形成装置の斜視説明図である。
【図１１】図１１は実施例１の作用説明図であって、図１１Ａは押し当て圧力減少部材が装着された状態の説明図、図１１Ｂは押し当て圧力減少部材の操作部が押されて傾斜した状態の説明図、図１１Ｃは図１１Ｂの状態から押し当て圧力減少部材の操作部がさらに押された状態の説明図である。
【図１２】図１２は実施例１の続きの作用説明図であって、図１２Ａは図１１Ｃの状態から付勢部材の付勢力により押し当て圧力減少部材が押し出された状態の説明図、図１２Ｂは押し当て圧力減少部材が取り外された状態の説明図である。
【図１３】図１３は本発明の実施例２の説明図であり、実施例１の図１１Ｂに対応する図である。
【図１４】図１４は本発明の実施例３の説明図であり、実施例１の図１１Ａに対応する図である。
【符号の説明】
【００５９】
２…接触部材支持部材、
２ｂ…抜け止め用係止部、
６…付勢部材、
１１，１２…押し当て圧力減少部材、
１１ｂ，１２ｂ…操作部、
１１ｄ，１２ｄ…連結部材装着部、
１１ｅ，１２ｅ…部材間挿入部
１１ｈ，１２ｈ…被係止部、
１３…連結部材、
ＣＢ…清掃部材、
ＣＲ…帯電器、
Ｆ…押し当て接触部材内蔵装置、
Ｆ…定着装置、
Ｆ１…被接触部材支持部材、
Ｆｈ…被接触部材、
Ｆｈ…加熱用回転部材、
Ｆｐ…接触部材、
Ｆｐ…加圧用回転部材、
ＰＲ…像保持体、
Ｓ…転写材、
Ｕ…画像形成装置、
Ｕ１ａ…開閉扉、
Ｕ１ｂ…操作部材操作用開口、
Ｕ２…トナー像形成装置。
【図１】
2008083176.tif 000003
【図２】
2008083176.tif 000004
【図３】
2008083176.tif 000005
【図４】
2008083176.tif 000006
【図５】
2008083176.tif 000007
【図６】
2008083176.tif 000008
【図７】
2008083176.tif 000009
【図８】
2008083176.tif 000010
【図９】
2008083176.tif 000011
【図１０】
2008083176.tif 000012
【図１１】
2008083176.tif 000013
【図１２】
2008083176.tif 000014
【図１３】
2008083176.tif 000015
【図１４】
2008083176.tif 000016
【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部が前記接触部材の長手方向と交わる方向のうちの所定方向に操作されることで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されること、
を特徴とする画像形成装置に関する押し当て接触部材内蔵装置。
【請求項２】
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が挿入された状態で前記操作部が所定の方向に操作されることで、前記押し当て圧力減少部材は前記付勢部材の付勢力を利用して取り外されること
を特徴とする画像形成装置に関する押し当て接触部材内蔵装置。
【請求項３】
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部と前記操作部との間であって前記操作部が操作された際に前記部材間挿入部が傾斜されて移動する側を支点部として取り外される
ことを特徴とする画像形成装置に関する押し当て接触部材内蔵装置。
【請求項４】
内部に加熱用ヒータが収容されて回転する加熱用回転部材により構成された前記被接触部材と、
前記加熱用回転部材に押し当てられて回転する加圧用回転部材により構成された前記接触部材と、
を備え、未定着トナー像を定着する定着装置により構成されたことを特徴とする請求項１ないし３のいずれかに記載の画像形成装置に関する押し当て接触部材内蔵装置。
【請求項５】
表面にトナー像を保持して回転し、表面に保持したトナー像が転写材に転写される像保持体により構成された前記被接触部材と、
前記像保持体に接触して、前記転写材に転写後の前記像保持体表面に付着したトナーを除去する清掃部材により構成された前記接触部材と、
を備え、トナー像を形成するトナー像形成装置により構成されたことを特徴とする請求項１ないし３のいずれかに記載の画像形成装置に関する押し当て接触部材内蔵装置。
【請求項６】
表面にトナー像を保持して回転し、表面に保持したトナー像が転写材に転写される像保持体により構成された前記被接触部材と、
前記像保持体に接触して、前記像保持体表面を帯電させる帯電器により構成された前記接触部材と、
を備え、トナー像を形成するトナー像形成装置により構成されたことを特徴とする請求項１ないし３のいずれかに記載の画像形成装置に関する押し当て接触部材内蔵装置。
【請求項７】
前記接触部材の長手方向と交わる一方向のみに前記操作部を移動させることで取外し可能な前記押し当て圧力減少部材、
を備えたことを特徴とする請求項１ないし６のいずれかに記載の画像形成装置に関する押し当て接触部材内蔵装置。
【請求項８】
前記押し当て圧力減少部材は、前記被接触部材支持部材と前記接触部材支持部材との間に挿入される部材間挿入部と、前記部材間挿入部に対して外方に配置された操作部と、前記部材間挿入部と前記操作部との間であって前記部材間挿入部が前記被接触部材支持部材と前記接触部材支持部材との間に挿入される方向とは交わる方向に延びた過挿入防止部と、
を備えたことを特徴とする請求項１ないし７のいずれかに記載の画像形成装置に関する押し当て接触部材内蔵装置。
【請求項９】
前記過挿入防止部は、前記操作部が操作された際に移動する側に延在し、前記延在方向の先端部に前記支点部を有することを特徴とする請求項８記載の画像形成装置に関する押し当て接触部材内蔵装置。
【請求項１０】
被係止部を有する前記押し当て圧力減少部材と、
前記被接触部材支持部材または前記接触部材支持部材に設けられ、前記被係止部に係合して前記押し当て圧力減少部材が前記付勢部材による付勢力が作用する方向に垂直な方向に抜けることを防止する抜け止め用係止部と、
を備えたことを特徴とする請求項１ないし９のいずれかに記載の画像形成装置に関する押し当て接触部材内蔵装置。
【請求項１１】
回転する前記被接触部材と、
前記被接触部材の回転軸方向の両端部に配置された一対の前記押し当て圧力減少部材と、
を備えたことを特徴とする請求項１ないし１０のいずれかに記載の画像形成装置に関する押し当て接触部材内蔵装置。
【請求項１２】
連結部材装着部を有する前記一対の押し当て圧力減少部材と、
前記一対の押し当て圧力減少部材の前記連結部材装着部にそれぞれ装着されて、前記一対の押し当て圧力減少部材を連結する連結部材と、
を備えたことを特徴とする請求項１１に記載の画像形成装置に関する押し当て接触部材内蔵装置。
【請求項１３】
前記押し当て圧力減少部材の取外し方法の説明が記載された説明書を有する前記連結部材と、
を備えたことを特徴とする請求項１２に記載の画像形成装置に関する押し当て接触部材内蔵装置。
【請求項１４】
被接触部材を支持する被接触部材支持部材と、前記被接触部材に対向して配置された接触部材を支持する接触部材支持部材との間に挿入される部材間挿入部と、
前記部材間挿入部に対して外方に配置された操作部と、
を有し、前記部材間挿入部が前記被接触部材支持部材と前記接触部材支持部材との間に挿入された場合には前記接触部材を前記被接触部材に押し当てる付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されることを特徴とする画像形成装置に関する押し当て圧力減少部材。
【請求項１５】
画像形成装置本体と、
前記画像形成装置本体に設けられ、被接触部材に対向して配置された接触部材と、
前記画像形成装置本体に設けられ、前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されること、
を特徴とする画像形成装置。
【請求項１６】
前記画像形成装置本体に設けられ、前記前記押し当て圧力減少部材の前記操作部を操作する操作部材操作用開口と、
前記画像形成装置本体に設けられ、前記操作部材操作用開口を開閉する開閉扉と、
を備えたことを特徴とする請求項１５に記載の画像形成装置。
【請求項１７】
前記操作部材操作用開口が開放された状態で、前記操作部材操作用開口の外方から前記接触部材の長手方向と交わる一方向のみに前記操作部を移動させることで取外し可能な前記押し当て圧力減少部材、
を備えたことを特徴とする請求項１６に記載の画像形成装置。
【手続補正３】
【補正対象書類名】明細書
【補正対象項目名】０００１
【補正方法】変更
【補正の内容】
【０００１】
本発明は、被接触部材に接触部材が押し当てられた画像形成装置に関する押し当て接触部材内蔵装置、接触部材の押し当て圧力を減少させる画像形成装置に関する押し当て圧力減少部材および前記押し当て圧力減少部材を有する画像形成装置に関する。
【手続補正４】
【補正対象書類名】明細書
【補正対象項目名】０００８
【補正方法】変更
【補正の内容】
【０００８】
前記技術的課題を解決するために、請求項１記載の画像形成装置に関する押し当て接触部材内蔵装置は、
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部が前記接触部材の長手方向と交わる方向のうちの所定方向に操作されることで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されること、
を特徴とする。
【手続補正５】
【補正対象書類名】明細書
【補正対象項目名】０００９
【補正方法】変更
【補正の内容】
【０００９】
また、前記技術的課題を解決するために、請求項２に記載の画像形成装置に関する押し当て接触部材内蔵装置は、
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が挿入された状態で前記操作部が所定の方向に操作されることで、前記押し当て圧力減少部材は前記付勢部材の付勢力を利用して取り外されること
を特徴とする。
【手続補正６】
【補正対象書類名】明細書
【補正対象項目名】００１０
【補正方法】変更
【補正の内容】
【００１０】
さらに、前記技術的課題を解決するために、請求項３に記載の画像形成装置に関する押し当て接触部材内蔵装置は、
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部と前記操作部との間であって前記操作部が操作された際に前記部材間挿入部が傾斜されて移動する側を支点部として取り外される
ことを特徴とする。
【手続補正７】
【補正対象書類名】明細書
【補正対象項目名】００１１
【補正方法】変更
【補正の内容】
【００１１】
請求項４記載の押し当て接触部材内蔵装置発明は、請求項１ないし３のいずれかに記載の画像形成装置に関する押し当て接触部材内蔵装置において、
内部に加熱用ヒータが収容されて回転する加熱用回転部材により構成された前記被接触部材と、
前記加熱用回転部材に押し当てられて回転する加圧用回転部材により構成された前記接触部材と、
を備え、未定着トナー像を定着する定着装置により構成されたことを特徴とする。
【手続補正８】
【補正対象書類名】明細書
【補正対象項目名】００１２
【補正方法】変更
【補正の内容】
【００１２】
請求項５記載の押し当て接触部材内蔵装置は、請求項１ないし３のいずれかに記載の画像形成装置に関する押し当て接触部材内蔵装置において、
表面にトナー像を保持して回転し、表面に保持したトナー像が転写材に転写される像保持体により構成された前記被接触部材と、
前記像保持体に接触して、前記転写材に転写後の前記像保持体表面に付着したトナーを除去する清掃部材により構成された前記接触部材と、
を備え、トナー像を形成するトナー像形成装置により構成されたことを特徴とする。
【手続補正９】
【補正対象書類名】明細書
【補正対象項目名】００１３
【補正方法】変更
【補正の内容】
【００１３】
請求項６記載の押し当て接触部材内蔵装置は、請求項１ないし３のいずれかに記載の画像形成装置に関する押し当て接触部材内蔵装置において、
表面にトナー像を保持して回転し、表面に保持したトナー像が転写材に転写される像保持体により構成された前記被接触部材と、
前記像保持体に接触して、前記像保持体表面を帯電させる帯電器により構成された前記接触部材と、
を備え、トナー像を形成するトナー像形成装置により構成されたことを特徴とする。
【手続補正１０】
【補正対象書類名】明細書
【補正対象項目名】００１４
【補正方法】変更
【補正の内容】
【００１４】
請求項７記載の押し当て接触部材内蔵装置は、請求項１ないし６のいずれかに記載の画像形成装置に関する押し当て接触部材内蔵装置において、
前記接触部材の長手方向と交わる一方向のみに前記操作部を移動させることで取外し可能な前記押し当て圧力減少部材、
を備えたことを特徴とする。
【手続補正１１】
【補正対象書類名】明細書
【補正対象項目名】００１５
【補正方法】変更
【補正の内容】
【００１５】
請求項８記載の押し当て接触部材内蔵装置は、請求項１ないし７のいずれかに記載の画像形成装置に関する押し当て接触部材内蔵装置において、
前記押し当て圧力減少部材は、前記被接触部材支持部材と前記接触部材支持部材との間に挿入される部材間挿入部と、前記部材間挿入部に対して外方に配置された操作部と、前記部材間挿入部と前記操作部との間であって前記部材間挿入部が前記被接触部材支持部材と前記接触部材支持部材との間に挿入される方向とは交わる方向に延びた過挿入防止部と、を備えたことを特徴とする。
【手続補正１２】
【補正対象書類名】明細書
【補正対象項目名】００１６
【補正方法】変更
【補正の内容】
【００１６】
請求項９記載の押し当て接触部材内蔵装置は、請求項８記載の画像形成装置に関する押し当て接触部材内蔵装置において、
前記過挿入防止部は、前記操作部が操作された際に移動する側に延在し、前記延在方向の先端部に前記支点部を有することを特徴とする。
【手続補正１３】
【補正対象書類名】明細書
【補正対象項目名】００１７
【補正方法】変更
【補正の内容】
【００１７】
請求項１０記載の押し当て接触部材内蔵装置は、請求項１ないし９のいずれかに記載の画像形成装置に関する押し当て接触部材内蔵装置において、
被係止部を有する前記押し当て圧力減少部材と、
前記被接触部材支持部材または前記接触部材支持部材に設けられ、前記被係止部に係合して前記押し当て圧力減少部材が前記付勢部材による付勢力が作用する方向に垂直な方向に抜けることを防止する抜け止め用係止部と、
を備えたことを特徴とする。
【手続補正１４】
【補正対象書類名】明細書
【補正対象項目名】００１８
【補正方法】変更
【補正の内容】
【００１８】
請求項１１記載の押し当て接触部材内蔵装置は、請求項１ないし１０のいずれかに記載の画像形成装置に関する押し当て接触部材内蔵装置において、
回転する前記被接触部材と、
前記被接触部材の回転軸方向の両端部に配置された一対の前記押し当て圧力減少部材と、
を備えたことを特徴とする。
【手続補正１５】
【補正対象書類名】明細書
【補正対象項目名】００１９
【補正方法】変更
【補正の内容】
【００１９】
請求項１２記載の押し当て接触部材内蔵装置は、請求項１１に記載の画像形成装置に関する押し当て接触部材内蔵装置において、
連結部材装着部を有する前記一対の押し当て圧力減少部材と、
前記一対の押し当て圧力減少部材の前記連結部材装着部にそれぞれ装着されて、前記一対の押し当て圧力減少部材を連結する連結部材と、
を備えたことを特徴とする。
【手続補正１６】
【補正対象書類名】明細書
【補正対象項目名】００２０
【補正方法】変更
【補正の内容】
【００２０】
請求項１３記載の押し当て接触部材内蔵装置は、請求項１２に記載の画像形成装置に関する押し当て接触部材内蔵装置において、
前記押し当て圧力減少部材の取外し方法の説明が記載された説明書を有する前記連結部材と、
を備えたことを特徴とする。
【手続補正１７】
【補正対象書類名】明細書
【補正対象項目名】００２１
【補正方法】変更
【補正の内容】
【００２１】
前記技術的課題を解決するために、請求項１４記載の画像形成装置に関する押し当て圧力減少部材は、
被接触部材を支持する被接触部材支持部材と、前記被接触部材に対向して配置された接触部材を支持する接触部材支持部材との間に挿入される部材間挿入部と、
前記部材間挿入部に対して外方に配置された操作部と、
を有し、前記部材間挿入部が前記被接触部材支持部材と前記接触部材支持部材との間に挿入された場合には前記接触部材を前記被接触部材に押し当てる付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げ且つ前記付勢部材の付勢力を利用して前記部材間挿入部の傾斜方向に移動して取り外されることを特徴とする。
【手続補正書】
【提出日】平成19年12月25日(2007.12.25)
【手続補正１】
【補正対象書類名】特許請求の範囲
【補正対象項目名】請求項１
【補正方法】変更
【補正の内容】
【請求項１】
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、
前記部材間挿入部は、前記被接触部材支持部材と前記接触部材支持部材との間に挿入された場合には前記付勢部材による付勢力に抗して前記被接触部材に対する前記接触部材の押し当て圧力を減少させると共に、
前記部材間挿入部が挿入された状態で前記操作部が前記接触部材の長手方向と交わる方向のうちの所定方向に操作されることで、前記部材間挿入部を傾斜させて前記付勢部材の付勢力に抗して前記被接触部材支持部材と前記接触部材支持部材との間隔を広げて付勢部材の付勢力を一時的に高め、且つ、傾斜した部材間挿入部が前記付勢部材の高まった付勢力により前記間隔が広げられた方向に垂直な方向の分力を受けて、前記押し当て圧力減少部材が前記間隔が広げられた方向と交わる方向に移動して取り外されること、
を特徴とする画像形成装置に関する押し当て接触部材内蔵装置。
【手続補正２】
【補正対象書類名】特許請求の範囲
【補正対象項目名】請求項２
【補正方法】変更
【補正の内容】
【請求項２】
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が挿入された状態で前記操作部が所定の方向に操作されることで、前記付勢部材の付勢力に抗して前記被接触部材支持部材と前記接触部材支持部材との間隔を広げて付勢部材の付勢力を一時的に高め、且つ、傾斜した部材間挿入部が前記付勢部材の高まった付勢力により前記間隔が広げられた方向に垂直な方向の分力を受けて、前記押し当て圧力減少部材が前記間隔が広げられた方向に交わる方向に移動して取り外されること、
を特徴とする画像形成装置に関する押し当て接触部材内蔵装置。
【手続補正３】
【補正対象書類名】特許請求の範囲
【補正対象項目名】請求項１４
【補正方法】変更
【補正の内容】
【請求項１４】
被接触部材を支持する被接触部材支持部材と、前記被接触部材に対向して配置された接触部材を支持する接触部材支持部材との間に挿入される部材間挿入部と、
前記部材間挿入部に対して外方に配置された操作部と、
を有し、前記部材間挿入部が前記被接触部材支持部材と前記接触部材支持部材との間に挿入された場合には前記接触部材を前記被接触部材に押し当てる付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げて付勢部材の付勢力を一時的に高め、且つ、傾斜した部材間挿入部が前記付勢部材の高まった付勢力により前記間隔が広げられた方向に垂直な方向の分力を受けて、前記押し当て圧力減少部材が前記間隔が広げられた方向と交わる方向に移動して取り外されることを特徴とする画像形成装置に関する押し当て圧力減少部材。
【手続補正４】
【補正対象書類名】特許請求の範囲
【補正対象項目名】請求項１５
【補正方法】変更
【補正の内容】
【請求項１５】
画像形成装置本体と、
前記画像形成装置本体に設けられ、被接触部材に対向して配置された接触部材と、
前記画像形成装置本体に設けられ、前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げて付勢部材の付勢力を一時的に高め、且つ、傾斜した部材間挿入部が前記付勢部材の高まった付勢力により前記間隔が広げられた方向に垂直な方向の分力を受けて、前記押し当て圧力減少部材が前記間隔が広げられた方向に交わる方向に移動して取り外されること、
を特徴とする画像形成装置。
【手続補正５】
【補正対象書類名】明細書
【補正対象項目名】０００８
【補正方法】変更
【補正の内容】
【０００８】
前記技術的課題を解決するために、請求項１記載の画像形成装置に関する押し当て接触部材内蔵装置は、
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部が前記接触部材の長手方向と交わる方向のうちの所定方向に操作されることで前記部材間挿入部を傾斜させて前記付勢部材の付勢力に抗して前記被接触部材支持部材と前記接触部材支持部材との間隔を広げ  前記部材間挿入部が挿入された状態で前記操作部が前記接触部材の長手方向と交わる方向のうちの所定方向に操作されることで、前記部材間挿入部を傾斜させて前記付勢部材の付勢力に抗して前記被接触部材支持部材と前記接触部材支持部材との間隔を広げて付勢部材の付勢力を一時的に高め、且つ、傾斜した部材間挿入部が前記付勢部材の高まった付勢力により前記間隔が広げられた方向に垂直な方向の分力を受けて、前記押し当て圧力減少部材が前記間隔が広げられた方向と交わる方向に移動して取り外されること、
を特徴とする。
【手続補正６】
【補正対象書類名】明細書
【補正対象項目名】０００９
【補正方法】変更
【補正の内容】
【０００９】
また、前記技術的課題を解決するために、請求項２に記載の画像形成装置に関する押し当て接触部材内蔵装置は、
被接触部材に対向して配置された接触部材と、
前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が挿入された状態で前記操作部が所定の方向に操作されることで、前記付勢部材の付勢力に抗して前記被接触部材支持部材と前記接触部材支持部材との間隔を広げて付勢部材の付勢力を一時的に高め、且つ、傾斜した部材間挿入部が前記付勢部材の高まった付勢力により前記間隔が広げられた方向に垂直な方向の分力を受けて、前記押し当て圧力減少部材が前記間隔が広げられた方向に交わる方向に移動して取り外されること、
を特徴とする。
【手続補正７】
【補正対象書類名】明細書
【補正対象項目名】００２１
【補正方法】変更
【補正の内容】
【００２１】
前記技術的課題を解決するために、請求項１４記載の画像形成装置に関する押し当て圧力減少部材は、
被接触部材を支持する被接触部材支持部材と、前記被接触部材に対向して配置された接触部材を支持する接触部材支持部材との間に挿入される部材間挿入部と、
前記部材間挿入部に対して外方に配置された操作部と、
を有し、前記部材間挿入部が前記被接触部材支持部材と前記接触部材支持部材との間に挿入された場合には前記接触部材を前記被接触部材に押し当てる付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げて付勢部材の付勢力を一時的に高め、且つ、傾斜した部材間挿入部が前記付勢部材の高まった付勢力により前記間隔が広げられた方向に垂直な方向の分力を受けて、前記押し当て圧力減少部材が前記間隔が広げられた方向と交わる方向に移動して取り外されることを特徴とする。
【手続補正８】
【補正対象書類名】明細書
【補正対象項目名】００２２
【補正方法】変更
【補正の内容】
【００２２】
前記技術的課題を解決するために、請求項１５記載の画像形成装置は、
画像形成装置本体と、
前記画像形成装置本体に設けられ、被接触部材に対向して配置された接触部材と、
前記画像形成装置本体に設けられ、前記被接触部材を支持する被接触部材支持部材と、
前記接触部材を支持し且つ前記被接触部材支持部材に接近離隔可能な接触部材支持部材と、
前記接触部材を前記被接触部材に押し当てる付勢力を作用させる付勢部材と、
前記付勢部材の付勢力に抗して前記被接触部材に対する前記接触部材の押し当て圧力を減少させる押し当て圧力減少部材とを備え、
前記押し当て圧力減少部材は、前記被接触部材支持部材と前記接触部材支持部材との間に挿入される部材間挿入部と、前記部材間挿入部に対して外方に配置された操作部とを有し、前記部材間挿入部が前記被接触部材支持部材と前記接触部材支持部材との間に挿入された場合には前記付勢部材による付勢力に抗して前記被接触部材に対する前記接触部材の押し当て圧力を減少させると共に、前記部材間挿入部が挿入された状態で前記操作部を前記接触部材の長手方向と交わる方向に操作することで前記部材間挿入部を傾斜させて前記付勢部材の付勢力に抗して前記被接触部材支持部材と前記接触部材支持部材との間隔を広げて付勢部材の付勢力を一時的に高め、且つ、傾斜した部材間挿入部が前記付勢部材の高まった付勢力により前記間隔が広げられた方向に垂直な方向の分力を受けて、前記押し当て圧力減少部材が前記間隔が広げられた方向に交わる方向に移動して取り外されること、
を特徴とする。